【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
第１の端部を含む基材を含む側方流動デバイスであって、前記第１の端部は試料ローディング部分及び検出可能なリガンドをロードした第１の領域、ＣＲＩＳＰＲエフェクター系、検出構築物、第１の結合剤を含む第１の捕捉領域、及び第２の結合剤を含む第２の捕捉領域を備え、前記ＣＲＩＳＰＲエフェクター系は、ＣＲＩＳＰＲエフェクタータンパク質及び１つ以上のガイド配列を含み、各ガイド配列は、１つ以上の標的分子と結合するように構成されている、前記側方流動デバイス。
【請求項２】
前記検出構築物がＲＮＡまたはＤＮＡオリゴヌクレオチドを含み、第１の端部に第１の分子及び第２の端部に第２の分子を含み、
所望により、前記第１の分子がＦＩＴＣであり、前記第２の分子がビオチンであるか、またはその逆であってもよく、又は 前記第１の分子がＦＩＴＣであり、前記第２の分子がＦＡＭであってもよい、請求項１に記載の側方流動デバイス。
【請求項３】
前記試料ローディング部分が、１つ以上の標的分子を増幅するための１つ以上の増幅試薬をさらに含む、請求項１又は２に記載の側方流動デバイス。
【請求項４】
前記１つ以上の標的ＲＮＡ分子を増幅するための試薬が、核酸配列ベースの増幅（ＮＡＳＢＡ）、リコンビナーゼポリメラーゼ増幅（ＲＰＡ）、ループ媒介等温増幅（ＬＡＭＰ）、鎖置換増幅（ＳＤＡ）、ヘリカーゼ依存増幅（ＨＤＡ）、ニッキング酵素増幅反応（ＮＥＡＲ）、ＰＣＲ、複数置換増幅（ＭＤＡ）、ローリングサークル増幅（ＲＣＡ）、リガーゼ連鎖反応（ＬＣＲ）、または分岐増幅法（ＲＡＭ）を含む、請求項３に記載の側方流動デバイス。
【請求項５】
前記第１の捕捉領域が、側方流動基材の試料ローディング部分と同じ端部に近接し、同じ端部にあり、 前記第１の捕捉領域が、前記レポーター構築物の前記第１の分子と特異的に結合する第１の結合剤を含み、前記第１の結合剤が、前記第１の捕捉領域に固定されるか、別様に固定化されている抗体である、請求項１から４の何れか一項に記載の側方流動デバイス。
【請求項６】
前記第１の結合領域から前記側方流動基材の反対側の端部に向かって前記第２の捕捉領域が配置されているか、または
前記第２の捕捉領域が、所望により、前記レポーター構築物の前記第２の分子、または前記検出可能なリガンドと特異的に結合する第２の結合剤を所望により含んでもよく、前記第２の結合剤は、所望により、前記第２の捕捉領域に固定されるか、別様に固定化されている抗体または抗体結合タンパク質でもよい、
請求項１から５の何れか一項に記載の側方流動デバイス。
【請求項７】
前記検出可能なリガンドが金ナノ粒子であり、 前記金ナノ粒子が、所望により、前記検出構築物の前記第２の分子に特異的と結合する結合剤で改変されていてもよく、前記抗体が抗ＦＩＴＣ抗体である、請求項１から６の何れか一項に記載の側方流動デバイス。
【請求項８】
前記抗体が抗ＦＩＴＣ抗体または抗ビオチン抗体である、請求項５に記載の側方流動デバイス。
【請求項９】
前記基材が可塑性材料基材であり、所望により、ペーパー基材または可塑性ポリマー系基材でもよく、 前記ＣＲＩＳＰＲエフェクタータンパク質が、ＲＮＡ標的化エフェクタータンパク質、ＤＮＡ標的化タンパク質、またはそれらの組み合わせであり、前記ＲＮＡ標的化エフェクタータンパク質は所望によりＣａｓ１３でもよく、所望によりＣａｓ１３ｂでもよい、請求項１から８の何れか一項に記載の側方流動デバイス。
【請求項１０】
前記Ｃａｓ１３エフェクタータンパク質が：Ｌｅｐｔｏｔｒｉｃｈｉａ、Ｌｉｓｔｅｒｉａ、Ｃｏｒｙｎｅｂａｃｔｅｒ、Ｓｕｔｔｅｒｅｌｌａ、Ｌｅｇｉｏｎｅｌｌａ、Ｔｒｅｐｏｎｅｍａ、Ｆｉｌｉｆａｃｔｏｒ、Ｅｕｂａｃｔｅｒｉｕｍ、Ｓｔｒｅｐｔｏｃｏｃｃｕｓ、Ｌａｃｔｏｂａｃｉｌｌｕｓ、Ｍｙｃｏｐｌａｓｍａ、Ｂａｃｔｅｒｏｉｄｅｓ、Ｆｌａｖｉｉｖｏｌａ、Ｆｌａｖｏｂａｃｔｅｒｉｕｍ、Ｓｐｈａｅｒｏｃｈａｅｔａ、Ａｚｏｓｐｉｒｉｌｌｕｍ、Ｇｌｕｃｏｎａｃｅｔｏｂａｃｔｅｒ、Ｎｅｉｓｓｅｒｉａ、Ｒｏｓｅｂｕｒｉａ、Ｐａｒｖｉｂａｃｕｌｕｍ、Ｓｔａｐｈｙｌｏｃｏｃｃｕｓ、Ｎｉｔｒａｔｉｆｒａｃｔｏｒ、Ｍｙｃｏｐｌａｓｍａ、Ｃａｍｐｙｌｏｂａｃｔｅｒ、及びＬａｃｈｎｏｓｐｉｒａからなる群より選択される属の生物に由来する、請求項９に記載の側方流動デバイス。
【請求項１１】
前記Ｃａｓ１３エフェクタータンパク質が、以下からなる群より選択される生物に由来する、請求項１０に記載の側方流動デバイス：Ｌｅｐｔｏｔｒｉｃｈｉａ    ｓｈａｈｉｉ、Ｌｅｐｔｏｔｒｉｃｈｉａ  ｗａｄｅｉ（Ｌｗ２）、Ｌｉｓｔｅｒｉａ  ｓｅｅｌｉｇｅｒｉ、Ｌａｃｈｎｏｓｐｉｒａｃｅａｅ  ｂａｃｔｅｒｉｕｍ  ＭＡ２０２０、Ｌａｃｈｎｏｓｐｉｒａｃｅａｅ  ｂａｃｔｅｒｉｕｍ  ＮＫ４Ａ１７９、［Ｃｌｏｓｔｒｉｄｉｕｍ］ａｍｉｎｏｐｈｉｌｕｍ  ＤＳＭ  １０７１０、Ｃａｒｎｏｂａｃｔｅｒｉｕｍ  ｇａｌｌｉｎａｒｕｍ  ＤＳＭ  ４８４７、Ｃａｒｎｏｂａｃｔｅｒｉｕｍ  ｇａｌｌｉｎａｒｕｍ  ＤＳＭ  ４８４７（第２のＣＲＩＳＰＲ  Ｌｏｃｉ）、Ｐａｌｕｄｉｂａｃｔｅｒ  ｐｒｏｐｉｏｎｉｃｉｇｅｎｅｓ  ＷＢ４、Ｌｉｓｔｅｒｉａ  ｗｅｉｈｅｎｓｔｅｐｈａｎｅｎｓｉｓ  ＦＳＬ  Ｒ９−０３１７、Ｌｉｓｔｅｒｉａｃｅａｅ  ｂａｃｔｅｒｉｕｍ  ＦＳＬ  Ｍ６−０６３５、Ｌｅｐｔｏｔｒｉｃｈｉａ  ｗａｄｅｉ  Ｆ０２７９、Ｒｈｏｄｏｂａｃｔｅｒ  ｃａｐｓｕｌａｔｕｓ  ＳＢ  １００３、Ｒｈｏｄｏｂａｃｔｅｒ  ｃａｐｓｕｌａｔｕｓ  Ｒ１２１、Ｒｈｏｄｏｂａｃｔｅｒ  ｃａｐｓｕｌａｔｕｓ  ＤＥ４４２、Ｌｅｐｔｏｔｒｉｃｈｉａ  ｂｕｃｃａｌｉｓ  Ｃ−１０１３−ｂ、Ｈｅｒｂｉｎｉｘ  ｈｅｍｉｃｅｌｌｕｌｏｓｉｌｙｔｉｃａ、［Ｅｕｂａｃｔｅｒｉｕｍ］ｒｅｃｔａｌｅ、Ｅｕｂａｃｔｅｒｉａｃｅａｅ  ｂａｃｔｅｒｉｕｍ  ＣＨＫＣＩ００４、Ｂｌａｕｔｉａ  ｓｐ．Ｍａｒｓｅｉｌｌｅ−Ｐ２３９８、及びＬｅｐｔｏｔｒｉｃｈｉａ  ｓｐ．口腔分類群（ｏｒａｌ  ｔａｘｏｎ）８７９  ｓｔｒ．Ｆ０５５７（十二（１２）のさらなる非限定的な例は以下である：Ｌａｃｈｎｏｓｐｉｒａｃｅａｅ  ｂａｃｔｅｒｉｕｍ  ＮＫ４Ａ１４４、Ｃｈｌｏｒｏｆｌｅｘｕｓ  ａｇｇｒｅｇａｎｓ、Ｄｅｍｅｑｕｉｎａ  ａｕｒａｎｔｉａｃａ、Ｔｈａｌａｓｓｏｓｐｉｒａ  ｓｐ．  ＴＳＬ５−１、Ｐｓｅｕｄｏｂｕｔｙｒｉｖｉｂｒｉｏ  ｓｐ．ＯＲ３７、Ｂｕｔｙｒｉｖｉｂｒｉｏ  ｓｐ．ＹＡＢ３００１、Ｂｌａｕｔｉａ  ｓｐ．Ｍａｒｓｅｉｌｌｅ−Ｐ２３９８、Ｌｅｐｔｏｔｒｉｃｈｉａ  ｓｐ．Ｍａｒｓｅｉｌｌｅ−Ｐ３００７、Ｂａｃｔｅｒｏｉｄｅｓ  ｉｈｕａｅ、Ｐｏｒｐｈｙｒｏｍｏｎａｄａｃｅａｅ  ｂａｃｔｅｒｉｕｍ  ＫＨ３ＣＰ３ＲＡ、Ｌｉｓｔｅｒｉａ  ｒｉｐａｒｉａ、ａｎｄ  Ｉｎｓｏｌｉｔｉｓｐｉｒｉｌｌｕｍ  ｐｅｒｅｇｒｉｎｕｍ）：ただし、所望によりお前記Ｃａ１３エフェクタータンパク質がＬ．ｗａｄｅｉ  Ｆ０２７９またはＬ．ｗａｄｅｉ  Ｆ０２７９（Ｌｗ２）Ｃ２ｃ２エフェクタータンパク質でもよい。
【請求項１２】
前記ＤＮＡ標的化エフェクタータンパク質がＣａｓ１２であり、前記Ｃａ１２が所望によりＣｐｆ１、Ｃ２ｃ１、またはそれらの組み合わせでもよい、請求項９から１１の何れか一項に記載の側方流動デバイス。
【請求項１３】
前記１つ以上のガイド配列は、前記疾患状態の診断に役立ち、 前記疾患状態は、所望により、がん、自己免疫疾患、又は感染症でもよい、請求項１〜１２のいずれか１つに記載の側方流動デバイス。
【請求項１４】
前記感染がウイルス、細菌、真菌、原生動物、または寄生虫によって引き起こされる、請求項１３の側方流動デバイス。
【請求項１５】
前記感染がウイルス感染症であり、所望によりＤＮＡウイルスによって引き起こされるものでもよく、所望により前記ＤＮＡウイルスは、ミオウイルス科、ポドウイルス科、シフォウイルス科、アロヘルペスウイルス科、ヘルペスウイルス科（ヒトヘルペスウイルス及び水痘帯状疱疹ウイルスを含む）、マロコヘルペスウイルス科、リポスリクスウイルス科、ルディウイルス科、アデノウイルス科、アンプラウイルス科、アスコウイルス科、アスファウイルス科（アフリカ豚コレラウイルスを含む）、バキュロウイルス科、Ｃｉｃａｕｄａｖｉｒｉｄａｅ、Ｃｌａｖａｖｉｒｉｄａｅ、コルチコウイルス科、フーゼロウイルス科、グロブロウイルス科、グッタウイルス科、Ｈｙｔｒｏｓａｖｉｒｉｄａｅ、イリドウイルス科、Ｍａｓｅｉｌｌｅｖｉｒｉｄａｅ、ミミウイルス科、ヌディウイルス科、ニマウイルス科、パンドラウイルス科、パピローマウイルス科、フィコドナウイルス科、プラズマウイルス科、ポリドナウイルス類、ポリオーマウイルス科（シミアンウイルス４０、ＪＣウイルス、ＢＫウイルスを含む）、ポックスウイルス科（牛痘および天然痘を含む）、スファエロリポウイルス科、テクチウイルス科、トゥリウイルス科、ディノドナウイルス、サルテルプロウイルス、リジドウイルスでもよい、請求項１４に記載の側方流デバイス。
【請求項１６】
前記感染が、二本鎖ＲＮＡウイルス、プラス鎖ＲＮＡウイルス、マイナス鎖ＲＮＡウイルス、レトロウイルス、またはそれらの組み合わせによって引き起こされるウイルス感染であり、
所望によりコロナウイルス科ウイルス、ピコルナウイルス科ウイルス、カリシウイルス科ウイルス、フラビウイルス科ウイルス、トガウイルス科ウイルス、ボルナウイルス科、フィロウイルス科、パラミクソウイルス科、ニューモウイルス科、ラブドウイルス科、アレナウイルス科、ブニヤウイルス科、オルソミクソウイルス科、またはデルタウイルスによって生じるものでもよく、
所望によりコロナウイルス、ＳＡＲＳコロナウイルス、ポリオウイルス、ライノウイルス、Ａ型肝炎、ノーウォークウイルス、黄熱病ウイルス、西ナイルウイルス、Ｃ型肝炎ウイルス、デング熱ウイルス、ジカウイルス、風疹ウイルス、ロスリバーウイルス、シンドビスウイルス、チクングニアウイルス、ボルナ病ウイルス、エボラウイルス、マールブルグウイルス、麻疹ウイルス、おたふく風邪ウイルス、ニパウイルス、ヘンドラウイルス、ニューカッスル病ウイルス、ヒト呼吸器合胞体ウイルス、狂犬病ウイルス、ラッサウイルス、ハンタウイルス、クリミア・コンゴ出血熱ウイルス、インフルエンザ、またはＤ型肝炎ウイルスによって引き起こされるものでもよく、
所望により、前記ウイルス感染は、デング熱ウイルスによって引き起こされるものでもよい、
請求項１４の側方流動デバイス。
【請求項１７】
前記感染症が細菌感染症であり、
所望により、前記細菌感染を引き起こす細菌が、Ａｃｉｎｅｔｏｂａｃｔｅｒ種、Ａｃｔｉｎｏｂａｃｉｌｌｕｓ種、Ａｃｔｉｎｏｍｙｃｅｔｅｓ種、Ａｃｔｉｎｏｍｙｃｅｓ種、Ａｅｒｏｃｏｃｃｕｓ種、Ａｅｒｏｍｏｎａｓ種、Ａｎａｐｌａｓｍａ種、Ａｌｃａｌｉｇｅｎｅｓ種、Ｂａｃｉｌｌｕｓ種、Ｂａｃｔｅｒｉｏｄｅｓ種、Ｂａｒｔｏｎｅｌｌａ種、Ｂｉｆｉｄｏｂａｃｔｅｒｉｕｍ種、Ｂｏｒｄｅｔｅｌｌａ種、Ｂｏｒｒｅｌｉａ種、Ｂｒｕｃｅｌｌａ種、Ｂｕｒｋｈｏｌｄｅｒｉａ種、Ｃａｍｐｙｌｏｂａｃｔｅｒ種、Ｃａｐｎｏｃｙｔｏｐｈａｇａ種、Ｃｈｌａｍｙｄｉａ種、Ｃｉｔｒｏｂａｃｔｅｒ種、Ｃｏｘｉｅｌｌａ種、Ｃｏｒｙｎｂａｃｔｅｒｉｕｍ種、Ｃｌｏｓｔｒｉｄｉｕｍ種、Ｅｉｋｅｎｅｌｌａ種、Ｅｎｔｅｒｏｂａｃｔｅｒ種、Ｅｓｃｈｅｒｉｃｈｉａ種、Ｅｎｔｅｒｏｃｏｃｃｕｓ種、Ｅｈｌｉｃｈｉａ種、Ｅｐｉｄｅｒｍｏｐｈｙｔｏｎ種、Ｅｒｙｓｉｐｅｌｏｔｈｒｉｘ種、Ｅｕｂａｃｔｅｒｉｕｍ種、Ｆｒａｎｃｉｓｅｌｌａ種、Ｆｕｓｏｂａｃｔｅｒｉｕｍ種、Ｇａｒｄｎｅｒｅｌｌａ種、Ｇｅｍｅｌｌａ種、Ｈａｅｍｏｐｈｉｌｕｓ種、Ｈｅｌｉｃｏｂａｃｔｅｒ種、Ｋｉｎｇｅｌｌａ種、Ｋｌｅｂｓｉｅｌｌａ種、Ｌａｃｔｏｂａｃｉｌｌｕｓ種、Ｌａｃｔｏｃｏｃｃｕｓ種、Ｌｉｓｔｅｒｉａ種、Ｌｅｐｔｏｓｐｉｒａ種、Ｌｅｇｉｏｎｅｌｌａ種、Ｌｅｐｔｏｓｐｉｒａ種、Ｌｅｕｃｏｎｏｓｔｏｃ種、Ｍａｎｎｈｅｉｍｉａ種、Ｍｉｃｒｏｓｐｏｒｕｍ種、Ｍｉｃｒｏｃｏｃｃｕｓ種、Ｍｏｒａｘｅｌｌａ種、Ｍｏｒｇａｎｅｌｌ種、Ｍｏｂｉｌｕｎｃｕｓ種、Ｍｉｃｒｏｃｏｃｃｕｓ種、Ｍｙｃｏｂａｃｔｅｒｉｕｍ種、Ｍｙｃｏｐｌａｓｍ種、Ｎｏｃａｒｄｉａ種、Ｎｅｉｓｓｅｒｉａ種、Ｐａｓｔｅｕｒｅｌａａ種、Ｐｅｄｉｏｃｏｃｃｕｓ種、Ｐｅｐｔｏｓｔｒｅｐｔｏｃｏｃｃｕｓ種、Ｐｉｔｙｒｏｓｐｏｒｕｍ種、Ｐｌｅｓｉｏｍｏｎａｓ種、Ｐｒｅｖｏｔｅｌｌａ種、Ｐｏｒｐｈｙｒｏｍｏｎａｓ種、Ｐｒｏｔｅｕｓ種、Ｐｒｏｖｉｄｅｎｃｉａ種、Ｐｓｅｕｄｏｍｏｎａｓ種、Ｐｒｏｐｉｏｎｉｂａｃｔｅｒｉｕｍｓ種、Ｒｈｏｄｏｃｏｃｃｕｓ種、Ｒｉｃｋｅｔｔｓｉａ種、Ｒｈｏｄｏｃｏｃｃｕｓ種、Ｓｅｒｒａｔｉａ種、Ｓｔｅｎｏｔｒｏｐｈｏｍｏｎａｓ種、Ｓａｌｍｏｎｅｌｌａ種、Ｓｅｒｒａｔｉａ種、Ｓｈｉｇｅｌｌａ種、Ｓｔａｐｈｙｌｏｃｏｃｃｕｓ種、Ｓｔｒｅｐｔｏｃｏｃｃｕｓ種、Ｓｐｉｒｉｌｌｕｍ種、Ｓｔｒｅｐｔｏｂａｃｉｌｌｕｓ種、Ｔｒｅｐｏｎｅｍａ種、Ｔｒｏｐｈｅｒｙｍａ種、Ｔｒｉｃｈｏｐｈｙｔｏｎ種、Ｕｒｅａｐｌａｓｍａ種、Ｖｅｉｌｌｏｎｅｌｌａ種、Ｖｉｂｒｉｏ種、Ｙｅｒｓｉｎｉａ種、Ｘａｎｔｈｏｍｏｎａｓ種、またはそれらの組み合わせでもよい、
請求項１４に記載の側方流動デバイス。
【請求項１８】
前記感染症が真菌によって引き起こされ
所望により、前記真菌は、Ａｓｐｅｒｇｉｌｌｕｓ、Ｂｌａｓｔｏｍｙｃｅｓ、Ｃａｎｄｉｄｉａｓｉｓ、Ｃｏｃｃｉｄｉｏｄｏｍｙｃｏｓｉｓ、Ｃｒｙｐｔｏｃｏｃｃｕｓ  ｎｅｏｆｏｒｍａｎｓ、Ｃｒｙｐｔｏｃｏｃｃｕｓ  ｇａｔｔｉ、ｓｐ．Ｈｉｓｔｏｐｌａｓｍａ  ｓｐ．（例えば、Ｈｉｓｔｏｐｌａｓｍａ  ｃａｐｓｕｌａｔｕｍ）、Ｐｎｅｕｍｏｃｙｓｔｉｓ  ｓｐ．（例えば、Ｐｎｅｕｍｏｃｙｓｔｉｓ  ｊｉｒｏｖｅｃｉｉ）、Ｓｔａｃｈｙｂｏｔｒｙｓ（例えば、Ｓｔａｃｈｙｂｏｔｒｙｓ  ｃｈａｒｔａｒｕｍ）、Ｍｕｃｒｏｙｍｃｏｓｉｓ、Ｓｐｏｒｏｔｈｒｉｘ、真菌眼感染白癬、Ｅｘｓｅｒｏｈｉｌｕｍ、Ｃｌａｄｏｓｐｏｒｉｕｍ、Ｇｅｏｔｒｉｃｈｕｍ、Ｓａｃｃｈａｒｏｍｙｃｅｓ、Ｈａｎｓｅｎｕｌａ種、Ｃａｎｄｉｄａ種、Ｋｌｕｙｖｅｒｏｍｍｙｃｅｓ種、Ｄｅｂａｒｙｏｍｙｃｅｓ種、Ｐｉｃｈｉａ種、Ｐｅｎｉｃｉｌｌｉｕｍ種、Ｃｌａｄｏｓｐｏｒｉｕｍ種、Ｂｙｓｓｏｃｈｌａｍｙｓ種またはそれらの組み合わせでもよい、
請求項１４に記載の側方流動デバイス。
【請求項１９】
前記感染症が原生動物によって引き起こされ、
所望により、前記原生動物がＥｕｇｌｅｎｏｚｏａ、Ｈｅｔｅｒｏｌｏｂｏｓｅａ、Ｄｉｐｌｏｍｏｎａｄｉｄａ、Ａｍｏｅｂｏｚｏａ、Ｂｌａｓｔｏｃｙｓｔｉｃ、Ａｐｉｃｏｍｐｌｅｘａ、またはそれらの組み合わせでもよい、
請求項１４に記載の側方流動デバイス。
【請求項２０】
前記感染が寄生虫によって引き起こされ、
所望により、前記寄生虫が、Ｔｒｙｐａｎｏｓｏｍａ  ｃｒｕｚｉ（シャーガス病）、Ｔ．ｂｒｕｃｅｉ  ｇａｍｂｉｅｎｓｅ、Ｔ．ｂｒｕｃｅｉ  ｒｈｏｄｅｓｉｅｎｓｅ、Ｌｅｉｓｈｍａｎｉａ  ｂｒａｚｉｌｉｅｎｓｉｓ、Ｌ．ｉｎｆａｎｔｕｍ、Ｌ．ｍｅｘｉｃａｎａ、Ｌ．ｍａｊｏｒ、Ｌ．ｔｒｏｐｉｃａ、Ｌ．ｄｏｎｏｖａｎｉ、Ｎａｅｇｌｅｒｉａ  ｆｏｗｌｅｒｉ、Ｇｉａｒｄｉａ  ｉｎｔｅｓｔｉｎａｌｉｓ（Ｇ．ｌａｍｂｌｉａ、Ｇ．ｄｕｏｄｅｎａｌｉｓ）、ｃａｎｔｈａｍｏｅｂａ  ｃａｓｔｅｌｌａｎｉｉ、Ｂａｌａｍｕｔｈｉａ  ｍａｄｒｉｌｌａｒｉｓ、Ｅｎｔａｍｏｅｂａ  ｈｉｓｔｏｌｙｔｉｃａ、Ｂｌａｓｔｏｃｙｓｔｉｃ  ｈｏｍｉｎｉｓ、Ｂａｂｅｓｉａ  ｍｉｃｒｏｔｉ、Ｃｒｙｐｔｏｓｐｏｒｉｄｉｕｍ  ｐａｒｖｕｍ、Ｃｙｃｌｏｓｐｏｒａ  ｃａｙｅｔａｎｅｎｓｉｓ、Ｐｌａｓｍｏｄｉｕｍ  ｆａｌｃｉｐａｒｕｍ、Ｐ．ｖｉｖａｘ、Ｐ．ｏｖａｌｅ、Ｐ．ｍａｌａｒｉａｅ、及びＴｏｘｏｐｌａｓｍａ  ｇｏｎｄｉｉ、またはそれらの組み合わせである、
請求項１４に記載の側方流動デバイス。
【請求項２１】
前記試料が生物学的試料または環境試料であり、
所望により、 前記生物学的試料が、血液、血漿、血清、尿、大便、喀痰、粘液、リンパ液、滑液、胆汁、腹水、胸水、漿液腫、唾液、脳脊髄液、房水もしくは硝子体液、または任意の体液、漏出液、滲出液（例えば、膿瘍またはその他の感染または炎症部位から得られた液体）、または関節から得られた液体（例えば、正常な関節または関節リウマチ、変形性関節症、痛風または敗血症性関節炎などの疾患に罹患した関節）、または皮膚のスワブもしくは粘膜表面でもよい、
請求項１から２０の何れか一項に記載の側方流動デバイス。
【請求項２２】
前記環境試料が、食品試料、紙の表面、布地、金属表面、木材表面、プラスチック表面、土壌試料、淡水試料、廃水試料、生理食塩水試料、またはそれらの組み合わせから得られる、請求項２１に記載の側方流動デバイス。
【請求項２３】
前記疾患状態が感染、臓器疾患、血液疾患、免疫系疾患、がん、脳及び神経系疾患、内分泌疾患、妊娠または出産関連疾患、遺伝性疾患、または環境に起因する疾患である、請求項１３から２０の何れか一項に記載の側方流動デバイス。
【請求項２４】
前記疾患状態が、好ましくは病原体または細胞における、抗生物質または薬物耐性または感受性遺伝子または転写物またはポリペプチドの有無によって特徴付けられ、
前記１つ以上のガイド分子が生物学的物質を特定し、
所望により、前記生物学的物質が遺伝子組み換え材料でもよく、
所望により、前記遺伝子組み換え材料が遺伝子組み換え植物でもよい、
請求項１３から２０の何れか一項に記載の側方流動デバイス。
【請求項２５】
第１の端部を含む基材を含む側方流動デバイスであって、前記第１の端部は、試料ローディング部分、及び検出可能なリガンドをロードされる第１の領域、２つ以上のＣＲＩＳＰＲエフェクター系、２つ以上の検出構築物、各々が第１の結合剤を含む１つ以上の第１の捕捉領域、各々が第２結合剤を含む２つ以上の第２捕捉領域を含み、前記２つ以上のＣＲＩＳＰＲエフェクター系のそれぞれがＣＲＩＳＰＲエフェクタータンパク質及び１つ以上のガイド配列を含み、各ガイド配列が１つ以上の標的分子と結合するように構成されている、前記側方流動デバイス。
【請求項２６】
前記２つ以上の検出構築物のそれぞれが、第１の端部に第１の分子及び第２の端部に第２の分子を含むＲＮＡまたはＤＮＡオリゴヌクレオチドを含み
所望により、前記検出可能なシグナルが前記第１の捕捉領域に現れてもよく、
所望により、前記検出可能なシグナルが前記第２の捕捉領域に現れてもよい、
請求項２５の側方流動デバイス。
【請求項２７】
２つのＣＲＩＳＰＲエフェクター系及び２つの検出構築物を含み、
所望により、４つのＣＲＩＳＰＲエフェクター系及び４つの検出構築物を含んでもよく、
第１の検出構築物が第１の分子としてＦＡＭ及び第２の分子としてビオチンを含むか、またはその逆であり、第２の検出構築物が第１の分子としてＦＡＭ及び第２の分子としてジゴキシゲニン（ＤＩＧ）を含むか、またはその逆であり、
所望により、 前記ＣＲＩＳＰＲエフェクタータンパク質がＲＮＡ標的化エフェクタータンパク質でもよく、
所望により、前記ＲＮＡ標的化エフェクタータンパク質がＣ２ｃ２である、
請求項２６に記載の側方流動デバイス。
【請求項２８】
前記試料ローディング部分が、前記１つ以上の標的分子を増幅するための１つ以上の増幅試薬をさらに含む、請求項２５から２７の何れか一項に記載の側方流動デバイス。
【請求項２９】
第１の検出構築物が第１の分子としてＴｙｅ６６５及び第２の分子としてＡｌｅｘａ−ｆｌｕｏｒ−４８８を含むか、またはその逆であり、第２の検出構築物は、第１の分子としてＴｙｅ６６５及び第２の分子としてＦＡＭを含むか、またはその逆であり、第３の検出構築物は、第１の分子としてＴｙｅ６６５及び第２の分子としてビオチンを含むか、またはその逆であり、及び第４の検出構築物は、第１の分子としてＴｙｅ６６５及び第２の分子としてＤＩＧを含むか、またはその逆である、請求項２７に記載の側方流動デバイス。
【請求項３０】
前記ＣＲＩＳＰＲエフェクタータンパク質がＲＮＡ標的化またはＤＮＡ標的化エフェクタータンパク質であり、
所望により、前記ＲＮＡ標的化エフェクタータンパク質がＣａｓ１３ａまたはＣａｓ１３ｂであり、
所望により、前記ＤＮＡ標的化エフェクタータンパク質がＣａｓ１２ａまたはＣａｓ１２ｂである、
請求項２９に記載の側方流動デバイス。
【請求項３１】
試料中の標的核酸を検出する方法であって、前記試料ローディング部分を備える、請求項１から３０のいずれか１つに記載の側方流動デバイスの前記第１の端部に試料を接触させることを含み、前記試料は、前記基材の前記試料ローディング部分から前記第１及び第２の捕捉領域に向かって流れ、検出可能なシグナルを生成する、前記方法。
【請求項３２】
前記試料が液体試料であるか、または前記試料が水性溶媒に溶解されている、請求項３１に記載の方法。
【請求項３３】
前記試料が標的核酸を含まない、請求項３０又は３１に記載の方法。
【請求項３４】
前記試料が標的核酸を含む、請求項３１又は３２に記載の方法。
【請求項３５】
前記標的核酸の存在が疾患状態を示す、請求項３１から３４の何れか一項に記載の方法。